(57)【要約】【課題】少ない部品点数で内枠に天井仕上板を簡単な作業で取り付けできるようにした天井点検口を提供する。【解決手段】天井板２の開口部２ａに嵌められて建物側に固定されるアルミニウム製の方形状の外枠１内に、外枠１の内部空間を開閉するように内枠３が回動自在に枢結され、前記内枠３には立ち上がり壁４の上下方向中間部より僅かに位置をずらして立ち上がり壁４の内面に水平に立ち上がり壁４の内周に沿ってボード支持板７が設けられており、このボード支持板７の少なくとも裏面に前記天井板２と同じ材料のボード１２が当てがわれてボード支持板７にビス１３止めした。【選択図】図５
2007308981.tif 000002
【特許請求の範囲】
【請求項１】
天井板の開口部に嵌められて建物側に固定されるアルミニウム製の方形状の外枠内に、外枠の内部空間を開閉するように内枠が回動自在に枢結され、前記内枠には立ち上がり壁の上下方向中間部より僅かに位置をずらして立ち上がり壁の内面に水平に立ち上がり壁の内周に沿ってボード支持板が設けられており、このボード支持板の少なくとも裏面に前記天井板と同じ材料のボードが当てがわれてボード支持板にビス止めしてなることを特徴とする天井点検口。
【請求項２】
２枚の厚みの異なるボードによりボード支持板をサンドイッチ状に挟み、２枚のボード同士を接着剤で接合させた状態でボード支持板にビス止めしてなることを特徴とする請求項１に記載の天井点検口。
【発明の詳細な説明】
【技術分野】
【０００１】
本発明は、天井点検口に関するものである。
【背景技術】
【０００２】
従来のこの種天井点検口としては例えば特許文献１に開示されているものが知られている。この特許文献１に開示されている天井点検口は、方形状の外枠内に内枠条片を方形状に枠組した内枠が回動自在に嵌合され、該内枠下部に天井仕上板が配設され、該天井仕上板の上面に該天井仕上板を止着する天井下地板が配設される天井点検口において、該天井下地板の周縁部を、該内枠条片の内側面に高さ方向調整自在に一方突縁を取付けた下側Ｌ字状金具の他方突縁と、同様に該内枠条片の内側面に高さ方向調整自在に一方突縁を取付けた上側Ｌ字状金具の他方突縁とで挟持し、該天井下地板の下面に天井仕上板を止着したものである。
【特許文献１】特開２００２−３４９０５４号公報
【発明の開示】
【発明が解決しようとする課題】
【０００３】
上記特許文献１に記載の天井点検口の構成では、内枠に天井仕上板を配設するために必ず天井下地板が必要であり、また前記天井下地板を支持するために天井下地板を挟持するための下側Ｌ字状金具と上側Ｌ字状金具が必要であり、部品点数が多くなるとともに、組立て工数も多くなり、コストアップになるという問題があった。
【０００４】
本発明の目的は、このような課題を解決するものであり、少ない部品点数で内枠に天井仕上板を簡単な作業で取り付けできるようにした天井点検口を提供することにある。
【課題を解決するための手段】
【０００５】
本発明の請求項１に記載の天井点検口は、天井板の開口部に嵌められて建物側に固定されるアルミニウム製の方形状の外枠内に、外枠の内部空間を開閉するように内枠が回動自在に枢結され、前記内枠には立ち上がり壁の上下方向中間部より僅かに位置をずらして立ち上がり壁の内面に水平に立ち上がり壁の内周に沿ってボード支持板が設けられており、このボード支持板の少なくとも裏面に前記天井板と同じ材料のボードが当てがわれてボード支持板にビス止めしてなることを特徴とする。
【０００６】
請求項２に記載の天井点検口は、２枚の厚みの異なるボードによりボード支持板をサンドイッチ状に挟み、２枚のボード同士を接着剤で接合させた状態でボード支持板にビス止めしてなることを特徴とする。
【発明の効果】
【０００７】
以上のように、本発明の天井点検口は、内枠の立ち上がり壁の上下方向中間部より僅かに位置をずらして立ち上がり壁の内面に水平に立ち上がり壁の内周に沿ってボード支持板が設けられていることにより、厚みの異なる２種類のボードの内、薄手のボードのみを使用する場合および厚みの異なる２種類のボードを使用する場合と、厚手のボードのみを使用する場合とで内枠を上下反転させて使い分けることができ、少ない部品点数で内枠に天井仕上板を簡単な作業で取り付けられる天井点検口を提供することができる。
【発明を実施するための最良の形態】
【０００８】
以下、本発明の一実施の形態を、図１〜図８を用いて具体的に説明する。
図において、１は天井板２の開口部２ａに嵌められて建物側に固定されるアルミニウム製のほぼ逆Ｔ字状の型材を方形に組み立ててなる外枠で、この外枠１の内部空間を開閉するように内枠３が設けられている。この内枠３もアルミニウム製の型材を方形に組み立ててなるものであり、この内枠３の型材は立ち上がり壁４の上下両端に外向きの折れ曲がり部５，６が形成されているが、立ち上がり壁４の上下両端における内側には折れ曲がり部などは形成されていない。なお、内枠３の立ち上がり壁４の上下方向中間部より僅かに位置をずらして立ち上がり壁４の内面に水平に立ち上がり壁４の内周に沿ってボード支持板７が設けられている。前記外枠１の型材は立ち上がり壁８の上端に外枠１の内部空間側への折れ曲がり部９が形成されており、下端には内外にほぼ水平に張り出す板部１０，１１が形成されている。そして、外枠１の下端の外側に張り出す板部１１の上端が前記天井板２の下面に当接した状態で外枠１が吊り下げられている。前記内枠３はボード支持板７の裏面に前記天井板２と同じ材料のボード１２が当てがわれてボード１２の下面よりボード支持板７にビス１３止めした状態で前記外枠１に回動自在に枢結される。詳しくは、内枠３には１組の対向する立ち上がり壁４，４の長さ方向一端近傍部外面に一対の回転部材１４，１４が設けられ、この回転部材１４，１４を外枠１の１組の対向する立ち上がり壁８，８の長さ方向一端近傍部内面に取り付けられる回転受け部材１５，１５に嵌め込み、内枠３を外枠１に対し回動自在に枢結している。内枠３は外枠１に対し下向きに回動して外枠１の内部空間が開かれ、その状態から内枠３を閉じる方向に上向きに回動させることにより外枠１の内部空間が閉じられる。内枠３で外枠１の内部空間が閉じられた状態において内枠３の上端が当接するように外枠１の１組の対向する立ち上がり壁８，８の長さ方向他端近傍部内面に当接金具１６，１６が設けられており、内枠３の上端がこの当接金具１６，１６に当接した状態において外枠１の内部空間が閉じられ、内枠３の１組の対向する立ち上がり壁８，８の長さ方向他端部間を繋ぐ立ち上がり壁４の内側に設けたロック手段１７の軸部１８の下端にドライバーの先端などを係合させて軸部１８を回転させることにより軸部１８の上端に設けた係止片１９も回転して外枠１の上端に係止片１９の先端が係止し内枠３の下向きの回動を止め、外枠１の内部空間の閉塞状態を保持できるようになっている。
【０００９】
ところで、内枠３のボード支持板７の裏面に吊り下げ状態でビス１３止めにより取り付けられるボード１２およびボード支持板７には前記ロック手段１７の位置で切り欠かれて
いる。２０，２１はボード１２およびボード支持板７に形成された切り欠き部である。
【００１０】
内枠３には前述のように内枠３の立ち上がり壁４の上下方向中間部より僅かに位置をずらして立ち上がり壁４の内面に水平に立ち上がり壁４の内周に沿ってボード支持板７が設けられており、図５ではボード支持板７が立ち上がり壁４の上下方向中間部より僅かに下に位置するように内枠３を下に向けた状態とし、この内枠３のボード支持板７に下から薄手のボード１２を当てがいビス１３止めした状態を示している。
【００１１】
図７は図５に示す内枠３を上下反転させてボード支持板７が立ち上がり壁４の上下方向中間部より僅かに上に位置するように内枠３を下に向けた状態とし、この内枠３のボード支持板７に下から厚手のボード１２を当てがいビス１３止めした状態を示している。
【００１２】
図８は図５に示す状態と同様にボード支持板７が立ち上がり壁４の上下方向中間部より僅かに下に位置するように内枠３を下に向けた状態とし、ボード支持板７の下側に薄手のボード１２を当てがい、ボード支持板７の上側に厚手のボード１２を当てがって２枚のボード１２によりボード支持板７をサンドイッチ状に挟み、２枚のボード１２同士を接着剤で接合させ、かかる状態で厚手のボード１２の上からボード支持板７にビス１３止めして２枚のボード１２を内枠３に取り付けた状態を示している。
【００１３】
要するに、前記内枠３は厚みの異なる２種類のボード１２の内、薄手のボード１２のみを使用する場合および厚みの異なる２種類のボード１２を使用する場合と、厚手のボード１２のみを使用する場合とで上下反転させるなどして使い分けるものである。なお、ボード支持板７の裏面に取り付けられるボード１２の下面は前記天井板２の下面と同レベル高さに揃うように構成されている。
【００１４】
そして、何れの場合も前記ロック手段１７はドライバーの先端などを係合させる軸部１８の下端が下に向くように内枠３にセットされるもので、図５に示す状態から図７に示す状態に内枠３を上下反転させる場合はロック手段１７は付け替えられる。
【図面の簡単な説明】
【００１５】
【図１】本発明の一実施の形態における外枠および内枠の分解斜視図である。
【図２】同外枠の要部拡大斜視図である。
【図３】同内枠の要部拡大斜視図である。
【図４】同ボードを取り付けた内枠を外枠にセットした状態を下方から見た斜視図である。
【図５】図４のＡ部拡大断面図である。
【図６】図４のＢ部拡大断面図である。
【図７】同厚みの異なるボードを内枠に取り付けた拡大断面図である。
【図８】同厚みの異なる２種類のボードを内枠に取り付けた拡大断面図である。
【符号の説明】
【００１６】
１          外枠
２          天井板
２ａ        開口部
３          内枠
４          立ち上がり壁
５，６      折れ曲がり部
７          ボード支持板
８          立ち上がり壁
９          折れ曲がり部
１０，１１    板部
１２          ボード
１３          ビス
１４          回転部材
１５          回転受け部材
１６          当接金具
１７          ロック手段
１８          軸部
１９          係止片
【図１】
2007308981.tif 000003
【図２】
2007308981.tif 000004
【図３】
2007308981.tif 000005
【図４】
2007308981.tif 000006
【図５】
2007308981.tif 000007
【図６】
2007308981.tif 000008
【図７】
2007308981.tif 000009
【図８】
2007308981.tif 000010